(57)【要約】【課題】保存期限を通知することができる警告装置を提供する。【解決手段】警告装置１００は、殻体１０と、前記殻体内に取り付けられる処理ユニット２０と、前記処理ユニットに電気的に接続される電力供給ユニットと、スイッチ２３と、既定時間毎に警告表示の効果を持続的に生成させるように構成した警告ユニット３０とを備え、前記殻体の外部に付着装置４０又は挟持機構を設置することを特徴とする。付着装置４０又は挟持機構によって、警告を必要とする物品に付随して警告装置１００を取り付ける。予め設定された既定値毎に、警告表示を行うとともに、ユーザーに保存期限切れの物品を知らせることができる。【選択図】図２
0003165453.tif 000002
【実用新案登録請求の範囲】
【請求項１】
警告装置であって、
殻体と、前記殻体内に取り付けられる処理ユニットと、前記処理ユニットに電気的に接続される電力供給ユニットと、スイッチと、既定時間毎に警告表示の効果を持続的に生成させるように構成した警告ユニットとを備えたことを特徴とする、警告装置。
【請求項２】
前記殻体は、上蓋体と底殻体を組み合わせて構成され、前記上蓋体に複数の開放孔が開設されるとともに、前記開放孔に電力消費を節約するのに供する感知センサーが取り付けられ、前記感知センサーは前記処理ユニット又は前記警告ユニットに電気的に接続されることを特徴とする、請求項１に記載の警告装置。
【請求項３】
前記殻体には、警告表示を必要とする対象物品に付着する付着装置が設置されることを特徴とする、請求項１又は２に記載の警告装置。
【請求項４】
前記付着装置は、包装容器用バンドと、前記殻体に固着される面ファスナーと着脱可能に結合して構成されることを特徴とする、請求項３に記載の警告装置。
【請求項５】
前記付着装置は、紐孔と、前記紐孔に挿通する紐とからなり、前記紐孔は前記殻体の所定位置に設置されることを特徴とする、請求項３に記載の警告装置。
【請求項６】
前記付着装置は、前記殻体に設置される磁性体からなることを特徴とする、請求項３に記載の警告装置。
【請求項７】
前記殻体には、警告表示を必要とする対象物品を収容するための包装容器を挟持する挟持機構が設置されることを特徴とする、請求項１又は２に記載の警告装置。
【請求項８】
前記挟持機構は、前記殻体の外部に連結され、長手方向に沿って表面が凹設される収納溝を有する従動部と、一端が前記従動部と連結されるとともに、前記収納溝に揺動可能に収納さされる挟止部と、前記従動部に取り付けられるとともに、揺動可能な前記挟止部を前記収納溝から離脱するのを阻止できる挟持部と、を含むことを特徴とする、請求項７に記載の警告装置。
【請求項９】
前記殻体と前記従動部とは、それぞれ分離独立して構成されるとともに、これらの外部にお互いに組み合わせることができる凸部と凹溝がそれぞれ形成されることを特徴とする、請求項８に記載の警告装置。
【請求項１０】
前記挟持機構は、包装容器を挟む挟みリングからなり、且つ前記挟みリングは前記殻体の外部に連結されることを特徴とする、請求項７に記載の警告装置。
【請求項１１】
前記殻体の外部には、二つの枢接部が突出され、二つの前記枢接部間にクリップが連接され、前記クリップに穿孔が設けられ、前記穿孔にバンド又は紐が挿通されることを特徴とする、請求項１又は２に記載の警告装置。
【請求項１２】
前記穿孔に隣接する前記クリップの外部には、面ファスナー又は磁石が貼着されることを特徴とする、請求項１１に記載の警告装置。
【請求項１３】
前記警告ユニットは、ラッパ、ブザー、発光体、発光ダイオード（ＬＥＤ）、ブルートゥース伝送器又は他の無線伝送ユニットの何れか一つからなることを特徴とする、請求項１又は２に記載の警告装置。
【請求項１４】
前記感知センサーは、光感知センサーであることを特徴とする、請求項２に記載の警告装置。
【考案の詳細な説明】
【技術分野】
【０００１】
本考案は警告装置に係り、特に、保存期限を通知することができる警告装置に関する。
【背景技術】
【０００２】
警告装置の先行技術としては、例えば、台湾実用新案登録第Ｍ３４９５３３号（特許文献１）に開示されている「貯蔵設備の有効期限を警告する警告装置の構造」と台湾実用新案登録第Ｍ３６４１９７号（特許文献２）に開示されている「ＲＦＩＤ知恵型冷凍冷蔵庫」が挙げられる。特許文献１には一種の警告装置が開示され、この警告装置は処理ユニットと、電源ユニットと、操作ユニットと、表示ユニットと、スイッチユニットと、警告ユニットを含み、予め設定された食品の賞味期限（以下、設定値と呼ぶ）までの時間をカウントダウンするとともに、前記設定値になると、音声と光を同時に発することで、ユーザーに知らせることができる。そして、保存期限が満了した食品をなるべく早く処理することにより、賞味期限切れの食品を誤って食べて、健康への悪影響を回避することができる。
【０００３】
しかし、前記警告装置は、殻体内部に取り付けられ、且つ殻体に何らかの取り付け金具又はベルト挟みが設けられていないため、各々の食材に対して適用できず、貯蔵設備の所定位置にしか設置することができない。例えば、冷蔵庫内に前記警告装置を設置することができるが、庫内の食品に直接取り付けることができないため、その使用範囲が制限される。また、各段の冷蔵トレーに沢山の食材を入れており、これらの食材の賞味期限が異なり、たとえユーザーに警告表示を提供しても、どの食材の賞味期限が満了したかが特定できない。
【０００４】
また、特許文献２には、食品の取出しが便利で、購入日および賞味期限を管理できる冷凍冷蔵庫が開示されている。この冷凍冷蔵庫は、デジタル電子ラベル（又は電子タグ）と、認識器と、マイコンのインターフェースとを含むことを特徴とする。前記電子タグは、クリップ、カップ、碗、トレー、鍋、やかん、瓶、袋などの容器の表面にそれぞれ付着することができる。前記認識器は冷凍冷蔵庫の保存スペースに設置されるとともに、無線通信を介して前記各容器に付着された電子タグからデジタル情報を読み取ることができる。前記インターフェースは、入力装置と出力装置を含み、前記認識器に連接され、入力装置と出力装置は、冷凍冷蔵庫の外面に設置される。前記入力装置は、前記各容器に対応する電子タグへデータ情報を入力することができ、前記出力装置は、前記各容器に対応するデータ情報を表示することができる。
【０００５】
前記した電子タグ、認識器およびインターフェースの全てを同一の冷凍冷蔵庫ｆに取り付けることにより、警告表示が作用し、ユーザーに食材の賞味期限が満了したのを知らせることができる。もし、電子タグを貼着した食材を間違って別の冷凍冷蔵庫に入れる場合、認識器が前記電子タグからデータ情報を読み取ることができないため、当然、何らかの警告表示を行うこともできなくなる。また、特許文献１と同様に、個別の食材に適当できないため、その使用範囲が比較的に限られる。
【先行技術文献】
【特許文献】
【０００６】
【特許文献１】台湾実用新案登録第Ｍ３４９５３３号
【特許文献２】台湾実用新案登録第Ｍ３６４１９７号
【考案の概要】
【考案が解決しようとする課題】
【０００７】
そこで、本考案の主な目的は、付着又は挟持手段を採用することにより、警告表示を必要とする対象物品に付随又は付着できるとともに、貯蔵設備に入れることができ、所定時間になると警告表示の効果を実現することができる警告装置を提供することにある。
【０００８】
また、本考案の次の目的は、警告表示を必要とする対象物品の適用範囲が比較的広く、例えば、錠剤、粉薬、液体薬などの医薬品および／又は包装容器、又は野菜、果物、五穀、雑穀、ビスケット、間食、飲料などの食材・食品および／又は包装容器、さらに液体錫、貴金属、物理状態を維持する必要がある他の物品および／又は包装容器に適用することができる警告装置を提供することにある。
【課題を解決するための手段】
【０００９】
上記課題を解決するために、本考案の請求項１の警告装置は、殻体と、前記殻体内に取り付けられる処理ユニットと、前記処理ユニットに電気的に接続される電力供給ユニットと、スイッチと、既定時間毎に警告表示の効果を持続的に生成させるように構成した警告ユニットとを備えたことを特徴とする。
【００１０】
本考案の請求項２は、請求項１において、前記殻体は、上蓋体と底殻体を組み合わせて構成され、前記上蓋体に複数の開放孔が開設されるとともに、前記開放孔に電力消費を節約するのに供する感知センサーが取り付けられ、前記感知センサーは前記処理ユニット又は前記警告ユニットに電気的に接続されることを特徴とする。
【００１１】
本考案の請求項３は、請求項１又は２において、前記殻体には、警告表示を必要とする対象物品に付着する付着装置が設置されることを特徴とする。
【００１２】
本考案の請求項４は、請求項３において、前記付着装置は、包装容器用バンドと、前記殻体に固着される面ファスナーと着脱可能に結合して構成されることを特徴とする。
【００１３】
本考案の請求項５は、請求項３において、前記付着装置は、紐孔と、前記紐孔に挿通する紐とからなり、前記紐孔は前記殻体の所定位置に設置されることを特徴とする。
【００１４】
本考案の請求項６は、請求項３において、前記付着装置は、前記殻体に設置される磁性体からなることを特徴とする。
【００１５】
本考案の請求項７は、請求項１又は２において、前記殻体には、警告表示を必要とする対象物品を収容するための包装容器を挟持する挟持機構が設置されることを特徴とする。
【００１６】
本考案の請求項８は、請求項７において、前記挟持機構は、前記殻体の外部に連結され、長手方向に沿って表面が凹設される収納溝を有する従動部と、一端が前記従動部と連結されるとともに、前記収納溝に揺動可能に収納さされる挟止部と、前記従動部に取り付けられるとともに、揺動可能な前記挟止部を前記収納溝から離脱するのを阻止できる挟持部と、を含むことを特徴とする。
【００１７】
本考案の請求項９は、請求項８において、前記殻体と前記従動部とは、それぞれ分離独立して構成されるとともに、これらの外部にお互いに組み合わせることができる凸部と凹溝がそれぞれ形成されることを特徴とする。
【００１８】
本考案の請求項１０は、請求項７において、前記挟持機構は、包装容器を挟む挟みリングからなり、且つ前記挟みリングは前記殻体の外部に連結されることを特徴とする。
【００１９】
本考案の請求項１１は、請求項１又は２において、前記殻体の外部には、二つの枢接部が突出され、二つの前記枢接部間にクリップが連接され、前記クリップに穿孔が設けられ、前記穿孔にバンド又は紐が挿通されることを特徴とする。
【００２０】
本考案の請求項１２は、請求項１１において、前記穿孔に隣接する前記クリップの外部には、面ファスナー又は磁石が貼着されることを特徴とする。
【００２１】
本考案の請求項１３は、請求項１又は２において、前記警告ユニットは、ラッパ、ブザー、発光体、発光ダイオード（ＬＥＤ）、ブルートゥース伝送器又は他の無線伝送ユニットの何れか一つからなることを特徴とする。
【００２２】
本考案の請求項１４は、請求項２において、前記感知センサーは、光感知センサーであることを特徴とする。
【図面の簡単な説明】
【００２３】
【図１】本考案に係る警告装置の組み立てた後の全体斜視図である（実施例１）。
【図２】図１の警告装置の分解斜視図である（実施例１）。
【図３】袋状包装容器に使用した警告装置を示す斜視図である（実施例１）。
【図４】冷凍冷蔵庫に袋口を密封した警告装置を装着した包装容器を入れた場合を示す斜視図である（実施例１）。
【図５】本考案に係る警告装置の背面構成を示す斜視図である（実施例２）。
【図６】図５の警告装置を箱状包装容器に縛った場合の使用状態を示す斜視図である（実施例２）。
【図７】本考案に係る警告装置の背面構成を示す斜視図である（実施例３）。
【図８】図７の警告装置の磁石を鉄製箱に吸着した場合の使用状態を示す斜視図である（実施例３）。
【図９】本考案に係る警告装置の組み立てた後の全体斜視図である（実施例４）。
【図１０】図９の警告装置の分解斜視図である（実施例４）。
【図１１】挟持機構の使用態様を示す断面図である。
【図１２】冷凍冷蔵庫に袋口を挟んだ警告装置を装着した包装容器を入れた場合を示す斜視図である。
【図１３】本考案の挟持機構の使用態様を示す断面図である（実施例５）。
【図１４】本考案の挟持機構の使用態様を示す断面図である（実施例６）。
【図１５】本考案に係る警告装置の背面構成を示す斜視図である（実施例７）。
【図１６】瓶の頸部を挟んだ図１５の警告装置の使用状態を示す斜視図である（実施例７）。
【図１７】本考案に係る警告装置の分解斜視図である（実施例８）。
【図１８】図１７の警告装置におけるオンからオフまでのフローチャートである。
【考案を実施するための形態】
【００２４】
以下、本考案の実施の形態を図面に基づいて説明する。
【実施例１】
【００２５】
図１と図２を参照されたい。警告装置１００は、殻体１０と、処理ユニット２０と、付着装置４０とを含む。前記殻体１０は、収納空間を具備する上蓋体１１と、上蓋体１１の開口を覆うプレート１２とからなり、両者には、複数の開放孔が開設される。上蓋体１１には、三つの開放孔１３が開設され、そのうちの一つの開放孔１３には、カバー１４が嵌着される。プレート１２の開放孔は電池室１５とし、その出口がプレートキャップ１６により被覆される。
【００２６】
殻体１０内に取り付けた処理ユニット２０は、基板２１に電気的に接続される電力供給ユニットと、スイッチ２３と、二つの警告ユニット３０を含む。本実施例では、前記基板２１は表面に電気回路を備えた板状の電子回路基板であり、しかも電力供給ユニットとはリチウム電池２２を指し、処理ユニット２０および／又は各ユニットに必要な電力を提供する。スイッチ２３をオンにすると、上蓋体１１の開放孔１３に取り付けたランプ２４が即座に点灯する。ランプ２４の照度が高くなればなるほど、電力量もより多く残っていることを示す。ランプ２４の照度が低くなればなるほど、又は消滅する場合、電力量もより少なくなるか、または電池交換が必要となることを示す。これにより、ユーザーに処理ユニット２０の通電の良否を通知することができる。警告ユニット３０は、ラッパ３１とブルートゥース伝送器３２とからなる。また、前記ラッパ３１の代わりにブザー又はその他の鳴る機器を使用してもよい。前記ブルートゥース伝送器３２は基板２１のブルートゥースモジュール３３に電気的に接続される。
【００２７】
前記処理ユニット２０には、出荷前に予め設定された既定値が入力される。これらの既定値は、例えば、１２時間、２４時間、３６時間又は４８時間などとする。なお、本実施例では、処理ユニット２０に調節ユニットを設置していないため、時間の調整機能を備えていない。
【００２８】
前記付着装置４０は、バンド４１と、と面ファスナー４２（又はＶｅｌｃｒｏ（登録商標））と着脱可能に結合して構成される。面ファスナー４２の裏面は、プレート１２に付着され、殻体１０はバンド４１と連結される。
【００２９】
使用時は、図１乃至図４に示すように、まず、保存バックＡの外面をバンド４１で縛る。保存バックＡ内には、野菜、米、スイーツ、お菓子、キャンディなどの食品を収納する。警告装置１００は、バック内の物品（又は食品）に付随して使用の位置又は冷凍冷蔵庫Ｂ内に載置される。そして、どの物品（又は食品）の保存期限が満了したかを知ることができる。注意に値するのは、警告装置１００の適用範囲が相当広く、電子認識システム又は保存設備に制限されるものではなく、どこにも載置することができることである。
【００３０】
次に、警告装置１００の電源をオンにし、既定時間、例えば、４８時間になると、ラッパ３１が持続的に音声を発する。同時に、ブルートゥース伝送器３２が電波などの信号を伝送し、これを貯蔵設備の外面に設置された受信器（図示せず）が受信する。また、別の表示装置を介して、文字、図案などの画像の表示結果を知らせる。勿論、振動、光線又は音響などの物理効果を使って、ユーザーに物品の保存期限が満了したのを警告させることができる。例えば、薬品、食品又は貴金属の場合、保存期限が満了したら、迅速な処理が望ましいからである。
【００３１】
前記警告ユニット３０のラッパ３１は、音を出す効果を有する。非密閉空間で、又は貯蔵設備のドアを開いた場合では、ラッパ３１が持続的に発する音がはっきりと聞こえるので、ユーザーに警告装置１００を装着した物品の保存期限が満了したのを知らせて注意を促すことができる。
【００３２】
警告ユニット３０のブルートゥース伝送器３２が受信器などの受信機能を有する機器へ電波を伝送することにより、光、音、振動又は画像などの警告表示を生成することができる。ブルートゥース（Ｂｌｕｅｔｏｏｔｈ）は、無線通信技術の一つに属し、周波数ホッピング方式（ＦＨＳＳ）を採用し、周波数が１秒間に１６００回で、一対一、又は一対多の連接方式で最大伝送距離１０メートルまで送信することができる。もし仕事率を増大すれば、５０から１００メートルまで伝送することができる。断ち切り難く、電磁波の妨害をも受けない。そして、警告ユニット３０の無線信号が、例えば、貯蔵設備の付近のＲＦＩＤシステム、携帯情報端末（ＰＤＡ）およびパソコン（ＰＣ）などの受信器により受信されることにより、文字、図案画像又は音、光などの物理現象を介してユーザーに注意喚起し、故に保存期限が満了した物品又は食材を迅速に処理する。
【実施例２】
【００３３】
前述した説明によれば、他の実施例が広がり出すことができる。例えば、図５と図６に示すように、実施例２の警告装置１００と実施例１との差異点は、付着装置５０が紐孔５１と、紐５２とからなることにある。各紐孔５１は対応する凸耳５３に設置され、且つ紐５２が挿通するのに供する。これらの凸耳５３は、殻体１０のプレート１２の外面に成型され、警告装置１００の内部構造又は他の構成要素に影響を与えるものではない。警告装置１００は紐５２を介してボックスＣの外周に取り外し可能に縛られている。このボックスＣは、複数段の引き出しＤを含み、各引き出しＤ内には、薬品又は食品を収納し、警告装置１００とボックスＣを例えば、冷蔵庫、テーブルなどの貯蔵設備又は家具上に置く。
【実施例３】
【００３４】
図７と図８は、警告装置１００の実施例３を示すものであり、前記実施例との差異点は、付着装置６０が磁石などの磁性体６１からなることにある。磁性体６１は殻体１０のプレート１２の外面に強固に吸着される。磁性体６１の吸着機能によって、警告装置１００をボックス蓋Ｆを有する鉄製ボックスＥの外面に付着させる。ボックスＥ内には、液体錫を収容する。液体錫が乾燥しやすいため、保存設備に入れて冷蔵しなければならず、さらに警告装置１００が音声の警告表示を行ったり、ブルートゥース伝送器を介して外部装置を起動させたりすることにより、ユーザーにボックス内の物品の有効期限が満了したのを警告することができる。
【実施例４】
【００３５】
実施例４の警告装置１００は、図９乃至図１１に示すように、前記実施例の構造と異なり、殻体１０の下方に挟持機構７０が取り付けられる。本実施例では、挟持機構７０が従動部７１と、挟止部７２と、挟持部７３とを含む。従動部７１は円棒状を呈し、中間部位が上蓋体１１と一体成形し、長手方向に沿って表面が凹設される収納溝７４を有し、一端が揺動可能に挟止部７３と連結され、他端が収納溝７４に挿入される挟止部７２と枢接される。挟持部７３はリング状を呈し、リングには、切り欠き口７５が開設され、従動部７１の縁部を揺動して係止する。
【００３６】
挟止部７２を開くと、従動部７１と交わり、夾角を形成する。両者間に保存バックＡを入れ、挟止部７２を揺動し、挟止部７３の切り欠き口７５を通過して従動部７１の収納溝７４内へ進入する。従動部７１の挟止部７２を合わせるとともに、収納溝７４の壁面がバックＡを挟み、切り欠き口７５と従動部７１が通す収納溝７４の開口とがずれるように挟止部７３を揺動することにより、挟止部７２の端部を制限して離脱を防止する。そして、図１２に示すように、医薬品、食品又は貴金属を収容する保存バックＡを警告装置１００と共に冷凍冷蔵庫中に入れる。
【実施例５】
【００３７】
図１３に示す挟持機構７０は、前記実施例４の構造と異なり、その相違点は従動部７１の収納溝７４が円形から多角形に変わることにある。しかも挟止部７２の断面形状も円形から三角形に変わる。挟止部７２を揺動して収納溝７４中へ入れるからである。挟持部７３の回動に伴い、切り欠き口７５と収納溝７４の開口とが合わなくなり、これによって挟止部７２の端部を制限して離脱を防止するとともに、挟止部７２と収納溝７４の壁面を合わせることでバックＡを挟む。
【実施例６】
【００３８】
図１４に示す挟持機構８０は、前記実施例５の構造と異なり、その相違点は収納溝８４の開口の反対側に位置される従動部８１の外部にＴ字型の凸部８６が形成され、この凸部８６は殻体１０の表面に形成される対称の凹溝８７中に嵌入することができることにある。分離できる連接手段を採用することにより、互いに分離し且つそれぞれ独立した殻体１０と従動部８１は、結合して一体にすることができ、しかも再度分離できる。
【実施例７】
【００３９】
図１５と図１６に示す警告装置１００は、挟持機構９０が実施例６と異なる。その相違点は挟持機構９０がＣ字型の挟みリング９１からなることにある。分離できる連接手段を採用することにより、挟みリング９１は殻体１０のプレート１２の外部に結合される。前記挟みリング９１自体は弾性を有し、瓶Ｇの頸部を挟むことができる。しかも随時取り出すこともできる。
【実施例８】
【００４０】
その他、図１５と図１６に示す警告装置１００は、前記実施例の殻体１０、処理ユニット２０の構造と異なる。前記殻体１０は、上蓋体１１と底殻体１７を組み合わせて構成され、前記上蓋体１１に複数の開放孔１３が開設される。開放孔１３は、６個の円形孔と１個の細長い孔を含む。底殻体１７は形状（又は造形）が上蓋体１１と類似しており、その外部に電池室１５と二つの枢接部１８が設けられる。プレートキャップ１６は電池室１５の開口を閉合することにより、電源として使用されるリチウム電池２２を密閉する。さらに二つの枢接部１８間には、クリップ９２を設置する。クリップ９２の枢接孔９３と両側の枢接部１８とに枢支ピン９４を穿過させることにより、殻体１０にクリップ９２を揺動可能に取り付ける。クリップ９２自身は弾性復元力を具備し、枢接孔９３に対応して穿孔９５が設置され、この穿孔９５にバンド４１（又は紐）を挿通することができる。しかもクリップ９２の穿孔９５に隣接する外部に面ファスナー４２と磁石６２を取り付ける。
【００４１】
処理ユニット２０は、スイッチ２３、ラッパ３１、ブルートゥース伝送器３２とブルートゥースモジュール３３以外に、さらに基板２１に電気的に接続される点滅ライト２４と感知センサー３４を含む。スイッチ２３は上蓋体１１の細長い開放孔１３に対応してこの開放孔１３を被覆する外カバー２５を押圧することで作用する。これらの点滅ライト２４はＳＭＴ-ＬＥＤライトで、そのうち、基板２４の中央に電気的に接続されるライト２４は、電源の表示とし、その他のライト２４は、基板２１の電気回路に接続される。しかも感知センサーは、光感知センサー又は光源感知器であることが望ましい。そして、周囲環境の明暗度を感知し、しかも電気回路で信号を発信することにより、電池の使用寿命を延ばすことができる。
【００４２】
本実施例の警告装置１００は、外カバー２５を介してスイッチ２３を押圧することにより、処理ユニット２０のオン２６又はオフ２７を行う。前記処理ユニット２０の基板２１の電気回路には、数組の時間モジュール３５と一組の省電力モジュール３６を設ける。これらの時間モジュール３５には、例えば、３日、７日、１４日又は３０日などの既定時間数値を記憶しておき、ユーザーがこれらを選択的に使用することができる。しかも省電力モジュール３６は、複数の連通する電子回路を具備し、そのうちの一つは感知センサー３４のデータ情報を受信して点灯の要否を決定する。その他の電子回路はラッパ３１の鳴る間欠性をコントロールする。
【００４３】
一つの時間モジュール３５を選択すると、正常な状態では、所定時間ごとに第１段階の警告作用を行う。例えば、５秒毎に１回鳴る。既定時間が経過した後に、次の段階の警告作用に入る。例えば、５分毎に１回鳴り、且つ警告装置１００のライト２４も同時に発光する。但し、警告装置１００の周囲環境が急に暗くなり、例えば、冷凍冷蔵庫、引き出し又はタンスなどの密閉空間に警告装置１００を入れる場合、感知センサー３４が作動し、省電力モジュール３６によって他の電気回路へ切り替えるとともにライト２４の電源を切る。他の警告作用に変わりはない。これにより、電力消費時間を短くすることができる。しかも光源を感知するとき、ライト２４の電源を再び入れるとともに、ユーザーの注意力を高める。
【００４４】
以上は本考案の好適な実施例と関連して説明されたが、本考案の技術範囲から逸脱せずに他の多くの可能な変更や変化をさせることができることが分かる。したがって、それらは本考案の実用新案登録請求の範囲に属するものとする。
【符号の説明】
【００４５】
１００  警告装置
Ａ      保存バック
Ｂ      冷凍冷蔵庫
Ｃ      ボックス
Ｄ      引き出し
Ｅ      鉄製ボックス
Ｆ      ボックス蓋
Ｇ      瓶
１０    殻体
１１    上蓋体
１２    プレート
１３    開放孔
１４    カバー
１５    電池室
１６    プレートキャップ
１７    底殻体
１８    枢接部
２０    処理ユニット
２１    基板
２２    リチウム電池
２３    スイッチ
２４    ライト（又は点滅ライト）
２５    外カバー
２６    オン
２７    オフ
３０    警告ユニット
３１    ラッパ
３２    ブルートゥース伝送器
３３    ブルートゥースモジュール
３４    感知センサー
３５    時間モジュール
３６    省電力モジュール
４０    付着装置
４１    バンド
４２    面ファスナー
５０    付着装置
５１    紐孔
５２    紐
５３    凸耳
６０    付着装置
６１    磁性体
６２    磁石
７０    挟持機構
７１    従動部
７２    挟止部
７３    挟持部
７４    収納溝
７５    切り欠き口
８０    挟持機構
８１    従動部
８４    収納溝
８６    凸部
８７    凹溝
９０    挟持機構
９１    挟みリング
９２    クリップ
９３    枢接孔
９４    枢支ピン
９５    穿孔
【図１】
0003165453.tif 000003
【図２】
0003165453.tif 000004
【図３】
0003165453.tif 000005
【図４】
0003165453.tif 000006
【図５】
0003165453.tif 000007
【図６】
0003165453.tif 000008
【図７】
0003165453.tif 000009
【図８】
0003165453.tif 000010
【図９】
0003165453.tif 000011
【図１０】
0003165453.tif 000012
【図１１】
0003165453.tif 000013
【図１２】
0003165453.tif 000014
【図１３】
0003165453.tif 000015
【図１４】
0003165453.tif 000016
【図１５】
0003165453.tif 000017
【図１６】
0003165453.tif 000018
【図１７】
0003165453.tif 000019
【図１８】
0003165453.tif 000020